(57)【要約】【課題】遊技機の意匠性が損なわれることなく、遊技機に取り付けられているラベルを容易に確認することができる遊技機を提供すること。【解決手段】前面扉１ｂの正面視右側面、すなわち筐体１ａに対して枢支される側端とは反対側の側面の下部、特に発光部２８Ｒ等の演出部を被覆しない位置であり、鍵穴部１１７が配設された位置よりも下方の位置に、ラベル２０１ａ、２０１ｂが貼付されたラベル貼着部材２００が取り付けられる。【選択図】図２
2015157009.tif 000002
【特許請求の範囲】
【請求項１】
遊技を行うことが可能な遊技機であって、
遊技機の前面に設けられ、回動により開閉可能な前面扉と、
情報が表示されたラベルと、
を備え、
前記前面扉は、閉状態において前面側に位置する前面領域と、閉状態において側面側に位置し、開状態において閉状態よりも正面視において視認容易となる側面領域と、を含み、
前記ラベルは、前記側面領域に取り付けられている
ことを特徴とする遊技機。
【発明の詳細な説明】
【技術分野】
【０００１】
本発明は、遊技を行うことが可能な遊技機に関する。
【背景技術】
【０００２】
スロットマシンやパチンコ遊技機等の遊技機は、例えば遊技機の性能や仕様を超える遊技価値を取得することを防止するために、遊技機メーカーは、市場に供給する前に第三者機関による検査を受け、遊技機の性能や仕様が法令等により定められた規則に適合していることの認定を受ける必要があり、このような規則に適合していることを証する証紙を表示したり、また、第三者の特許権等の実施許諾を受けていることや、台の製造番号等の遊技機に関連する遊技機情報が記された証紙等を表示したりすることがある。
【０００３】
この種の証紙等のラベルは、遊技店の店員や遊技者等の第三者が容易に認識することが可能なように取り付けられることが一般的であり、遊技機の前面扉における下部パネルやメダル受皿の正面側壁部等、遊技機の正面から視認できるようにしたものがあった（例えば、特許文献１参照）。
【先行技術文献】
【特許文献】
【０００４】
【特許文献１】特開２００７−１０５３７９号公報
【発明の概要】
【発明が解決しようとする課題】
【０００５】
しかしながら、上記特許文献１に記載の遊技機においては、遊技店の店員や遊技者等の第三者がラベルを容易に認識することが可能であるものの、遊技機の正面に取り付けられているため、遊技中の遊技者の視界に入る遊技機正面視の意匠性が著しく損なわれてしまうという問題がある。
【０００６】
本発明は、このような問題点に着目してなされたもので、遊技機の意匠性が損なわれることなく、遊技機に取り付けられているラベルを容易に確認することができる遊技機を提供することを目的とする。
【課題を解決するための手段】
【０００７】
上記課題を解決するために、本発明の手段１に記載の遊技機は、
遊技を行うことが可能な遊技機（スロットマシン１）であって、
遊技機（スロットマシン１）の前面に設けられ、回動により開閉可能な前面扉（前面扉１ｂ）と、
情報が表示されたラベル（ラベル２０１ａ、２０１ｂ）と、
を備え、
前記前面扉（前面扉１ｂ）は、閉状態において前面側に位置する前面領域（前面扉１ｂの前面）と、閉状態において側面側に位置し、開状態において閉状態よりも正面視において視認容易となる側面領域（前面扉１ｂの右側面）と、を含み、
前記ラベル（ラベル２０１ａ、２０１ｂ）は、前記側面領域（前面扉１ｂの右側面）に取り付けられている
ことを特徴としている。
この特徴によれば、情報の表示されたラベルが、前面扉の側面領域に取り付けられることで、遊技中の遊技者の視界に入る遊技機の正面視の意匠性が損なわれてしまうことがないうえに、前面扉の開状態において閉状態よりも正面視において視認容易となる側面領域に取り付けられることで、前面扉を開放した際にラベルを容易に確認することができる。
【０００８】
本発明の手段２に記載の遊技機は、手段１に記載の遊技機であって、
前記前面扉（前面扉１ｂ）の前記側面領域（前面扉１ｂの右側面）には演出部（発光部２８Ｒ）が配置されており、
前記ラベル（ラベル２０１ａ、２０１ｂ）は、前記側面領域（前面扉１ｂの右側面）のうち前記演出部（発光部２８Ｒ）を被覆しない位置に取り付けられている
ことを特徴としている。
この特徴によれば、演出部の一部がラベルによって隠れてしまうことを防止できる。
【０００９】
本発明の手段３に記載の遊技機は、手段１または手段２に記載の遊技機であって、
前記ラベル（ラベル２０１ａ’、２０１ｂ’）は、文字情報が横書きされた横長形状であり、該ラベル（ラベル２０１ａ’、２０１ｂ’）の下辺が前記前面扉（前面扉１ｂ）の正面方向となるように前記側面領域（前面扉１ｂの右側面）に取り付けられている
ことを特徴としている。
この特徴によれば、幅狭な前面扉の側面領域にラベルを取り付けるにあたって、ラベルの取付位置の自由度が増すとともに、ラベルに表示された横書きの文字列が前面扉の正面側から自然に読字可能な状態となり、前面扉を開放させた際に、ラベルの確認作業を効率的に行うことができる。
【００１０】
本発明の手段４に記載の遊技機は、手段１〜３のいずれかに記載の遊技機であって、
前記前面扉（前面扉１ｂ）には、前記側面領域（前面扉１ｂの右側面）側に前記前面扉（前面扉１ｂ）を開放するための鍵（キー）が挿入される鍵挿入部（鍵穴部１１７）が設けられており、
前記ラベル（ラベル２０１ａ、２０１ｂ）は、前記側面領域（前面扉１ｂの右側面）のうち前記鍵挿入部（鍵穴部１１７）の高さ位置よりも下方の高さ位置に取り付けられている
ことを特徴としている。
この特徴によれば、鍵を鍵挿入部に挿入して前面扉を開放する際に、手元よりも下方にラベルが位置することとなり、前面扉を開放する者の手腕や鍵が挿入された状態の鍵挿入部によって、ラベルの視認性が阻害されてしまうことを防止できる。
【００１１】
本発明の手段５に記載の遊技機は、手段１〜３のいずれかに記載の遊技機であって、
前記前面扉（前面扉１ｂ）には、前記側面領域（前面扉１ｂの右側面）側に前記前面扉（前面扉１ｂ）を開放するための鍵（キー）が挿入される鍵挿入部（鍵穴部１１７）が設けられており、
前記ラベル（ラベル２０１ａ、２０１ｂ）は、前記側面領域（前面扉１ｂの右側面）のうち前記鍵挿入部（鍵穴部１１７）の高さ位置と一部が重複する高さ位置に取り付けられている
ことを特徴としている。
この特徴によれば、鍵を鍵挿入部に挿入して前面扉を開放する際に、手元の近傍にラベルが位置することとなり、前面扉の開放操作の際にラベルを容易に認識することができる。
【００１２】
本発明の手段６に記載の遊技機は、手段１〜５のいずれかに記載の遊技機であって、
透光性を有する透光部（透光板２００ａ）を有し、該透光部の背面（背面２００ｃ）に前記情報を対向させた状態で前記ラベル（ラベル２０１ａ、２０１ｂ）が貼着されるラベル貼着部材（ラベル貼着部材２００）と、
前記側面領域（前面扉１ｂの右側面）に設けられ、前記ラベル貼着部材（ラベル貼着部材２００）が取り付けられる貼着部材取付部（貼着部材取付凹部５２４）と、
前記前面扉（前面扉１ｂ）に形成される貫通孔（貫通孔２１２〜２１５）と、
前記ラベル貼着部材（ラベル貼着部材２００）の背面における前記貫通孔（貫通孔２１２〜２１５）に対応する位置に突設され、前記貫通孔（貫通孔２１２〜２１５）を挿通可能な長さ寸法を有するとともに、前記前面扉（前面扉１ｂ）の内面に設けられた被係止部（貫通孔２１２〜２１５の開口縁）に係止可能な係止部（係止爪２０２ａ，２０３ａ、２０４ａ，２０５ａ）が形成された弾性係止片（上弾性係止片２０２，２０３、下弾性係止片２０４，２０５）と、
前記前面扉（前面扉１ｂ）の内面に、前記貫通孔（貫通孔２１２〜２１５）に挿通された前記弾性係止片（上弾性係止片２０２，２０３、下弾性係止片２０４，２０５）における前記係止部（係止爪２０２ａ，２０３ａ、２０４ａ，２０５ａ）の反対側面に当接または近接して配置され、前記係止部の係止解除方向への移動（弾性変形）を規制する規制部（不正防止部材２２０の規制片２５２〜２５５）と、
前記前面扉（前面扉１ｂ）の内面に、前記貫通孔を被覆するように配置される被覆部（不正防止部材２２０の背面壁（壁部）２２０ａ、左側壁（壁部）２２０ｂ、右側壁（壁部）２２０ｃ、上壁（壁部）２２０ｄ、下壁（壁部）２２０ｅ）と、
を備える
ことを特徴としている。
この特徴によれば、ラベル貼着部材は、弾性係止片を前面扉の外側から貫通孔に差し込むだけで貼着部材取付部に簡単に取り付けることができるばかりか、取付状態において係止部は前面扉の内側にて係止され、しかも規制部により係止解除方向への移動が規制されることで、前面扉の外側から係止状態を解除して取り外すことが極めて困難となる。また、前面扉の側面領域にラベル貼着部材を嵌合させる大きな貫通孔を形成する必要がないばかりか、ラベル貼着部材を不正に取り外して貫通孔から針金等の不正部材を進入させても、被覆部により不正部材の進入が阻止されるため、遊技機内部に設けられる遊技部品等に対する不正行為を抑制することができる。
尚、近接とは、前記係止部が前記被係止部への係止状態を解除するのに必要な移動距離の範囲内であることが好ましい。
【００１３】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１４】
【図１】本発明を適用した実施例１の遊技機としてのスロットマシンの正面図である。
【図２】スロットマシンの内部構造、及びラベル貼着部材及び不正防止部材の取付状態を示す斜視図である。
【図３】スロットマシンを示す右側面図である。
【図４】スロットマシンの構成を示すブロック図である。
【図５】（ａ）はラベル貼着部材を示す正面図であり、（ｂ）は同じく右側面図、（ｃ）は同じく平面図である。
【図６】（ａ）は不正防止部材を示す正面図であり、（ｂ）は同じく背面図であり、（ｃ）は同じく右側面図であり、（ｄ）は同じく平面図である。
【図７】不正防止部材を示す縦断面図である。
【図８】（ａ）は図７のＤ−Ｄ断面図であり、（ｂ）は図７のＥ−Ｅ断面図である。
【図９】（ａ）はラベルの取付態様の変形例を示すスロットマシンの右側面図であり、（ｂ）はラベルの取付態様の変形例を示すスロットマシンの右側面図である。
【図１０】ラベルの取付態様の変形例を示すスロットマシンの斜視図である。
【図１１】本発明を適用した実施例２の遊技機であるパチンコ遊技機を示す斜視図である。
【図１２】パチンコ遊技機の変形例を示す斜視図である。
【図１３】パチンコ遊技機の変形例を示す斜視図である。
【発明を実施するための形態】
【００１５】
本発明に係る遊技機を実施するための形態を実施例に基づいて以下に説明する。
【実施例１】
【００１６】
本発明が適用された遊技機の実施例１としてのスロットマシンを図面を用いて説明すると、本実施例のスロットマシン１は、図１に示すように、前面が開口する筐体１ａと、この筐体１ａの側端に回動自在に枢支された前面扉１ｂと、から構成されている。
【００１７】
本実施例のスロットマシン１の筐体１ａの内部には、図２に示すように、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂの略中央に設けられた透視窓３から見えるように配置されている。
【００１８】
リール２Ｌ、２Ｃ、２Ｒの外周部には、互いに識別可能な複数種類の図柄が所定の順序で、それぞれ２１個ずつ描かれている。リール２Ｌ、２Ｃ、２Ｒの外周部に描かれた図柄は、透視窓３において各々上中下三段に表示される。
【００１９】
各リール２Ｌ、２Ｃ、２Ｒは、各々対応して設けられリールモータ３２Ｌ、３２Ｃ、３２Ｒ（図４参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００２０】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から照射するリールＬＥＤ５５と、が設けられている。また、リールＬＥＤ５５は、リール２Ｌ、２Ｃ、２Ｒの連続する３つの図柄に対応する１２のＬＥＤからなり、各図柄をそれぞれ独立して照射可能とされている。
【００２１】
前面扉１ｂにおける各リール２Ｌ、２Ｃ、２Ｒに対応する位置には、リール２Ｌ、２Ｃ、２Ｒを前面側から透視可能とする横長長方形状の透視窓３が設けられており、該透視窓３を介して遊技者側から各リール２Ｌ、２Ｃ、２Ｒが視認できるようになっている。
【００２２】
前面扉１ｂには、図１に示すように、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、後述のメダルセレクタ２９内に詰まったメダルを排出させる際に操作される返却スイッチ２６が遊技者により操作可能にそれぞれ設けられている。
【００２３】
尚、本実施例では、回転を開始した３つのリール２Ｌ、２Ｃ、２Ｒのうち、最初に停止するリールを第１停止リールと称し、また、その停止を第１停止と称する。同様に、２番目に停止するリールを第２停止リールと称し、また、その停止を第２停止と称し、３番目に停止するリールを第３停止リールと称し、また、その停止を第３停止あるいは最終停止と称する。
【００２４】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられた遊技用表示部１３が設けられている。
【００２５】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図４参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図４参照）がそれぞれ設けられている。
【００２６】
前面扉１ｂの内側には、所定のキーによる後述するエラー状態及び後述する打止状態を解除するためのリセット操作を検出するリセットスイッチ２３、後述する設定値の変更中や設定値の確認中にその時点の設定値が表示される設定値表示器２４、所定の契機に打止状態（リセット操作がなされるまでゲームの進行が規制される状態）に制御する打止機能の有効／無効を選択するための打止スイッチ３６ａ、所定の契機に自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａ内部に設けられた後述のホッパータンク３４ａ側またはメダル払出口９側のいずれか一方に選択的に切り替えるための流路切替ソレノイド３０（図４参照）、後述する後通路板１４５を開放するための返却ソレノイド２７、メダル投入部４から投入され、ホッパータンク３４ａ側に流下したメダルを検出する投入メダルセンサ３１（図４参照）を有するメダルセレクタ２９、前面扉１ｂの開放状態を検出するドア開放検出スイッチ２５（図４参照）が設けられている。
【００２７】
筐体１ａ内部には、図２に示すように、前述したリール２Ｌ、２Ｃ、２Ｒ、リールモータ３２Ｌ、３２Ｃ、３２Ｒ（図４参照）、各リール２Ｌ、２Ｃ、２Ｒのリール基準位置をそれぞれ検出可能なリールセンサ３３Ｌ、３３Ｃ、３３Ｒ（図４参照）からなるリールユニット２、外部出力信号を出力するための外部出力基板１０００（図４参照）、メダル投入部４から投入されたメダルを貯留するホッパータンク３４ａ、ホッパータンク３４ａに貯留されたメダルをメダル払出口９より払い出すためのホッパーモータ３４ｂ（図４参照）、ホッパーモータ３４ｂの駆動により払い出されたメダルを検出する払出センサ３４ｃ（図４参照）からなるホッパーユニット３４、電源ボックス１００が設けられている。
【００２８】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な満タンセンサ３５ａ（図４参照）が設けられている。
【００２９】
電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００３０】
尚、電源ボックス１００は、筐体１ａの内部に設けられており、さらに前面扉１ｂは、前述のように店員等が所持する所定のキー操作により開放可能な構成であるため、これら電源ボックス１００の前面に設けられた設定キースイッチ３７、リセット／設定スイッチ３８、電源スイッチ３９は、キーを所持する店員等の者のみが操作可能とされ、遊技者による操作ができないようになっている。また、所定のキー操作により検出されるリセットスイッチ２３も同様である。特に、設定キースイッチ３７は、キー操作により前面扉１ｂを開放したうえで、さらにキー操作を要することから、遊技場の店員のなかでも、設定キースイッチ３７の操作を行うキーを所持する店員のみ操作が可能とされている。また、打止スイッチ３６ａ、自動精算スイッチ３６ｂも、筐体１ａの内部に設けられており、遊技場の店員によるキー操作により前面扉１ｂを開放しなければ操作できないことから、遊技場に設置されている場合に、遊技場の店員のみが操作可能とされ、遊技者が操作することはできないようになっている。
【００３１】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。尚、遊技状態に対応する規定数のうち最大数を超えてメダルが投入された場合には、その分はクレジットに加算される。
【００３２】
入賞ラインとは、各リール２Ｌ、２Ｃ、２Ｒの透視窓３に表示された図柄の組み合わせが入賞図柄の組み合わせであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。尚、本実施例では、１本の入賞ラインのみを適用しているが、複数の入賞ラインを適用しても良い。
【００３３】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００３４】
そして全てのリール２Ｌ、２Ｃ、２Ｒが停止されることで１ゲームが終了し、予め定められた図柄の組み合わせ（以下、役とも呼ぶ）が、入賞ラインＬＮ上に各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組み合わせが各リール２Ｌ、２Ｃ、２Ｒの表示結果として停止した場合には図柄の組み合わせに応じた遊技状態に移行するようになっている。
【００３５】
尚、本実施例では、スタートスイッチ７の操作が有効な状態でスタートスイッチ７の操作が検出されたときにゲームが開始し、全てのリールが停止したときにゲームが終了する。また、ゲームを実行するための１単位の制御（ゲーム制御）は、前回のゲームの終了に伴う全ての制御が完了したときに開始し、当該ゲームの終了に伴う全ての制御が完了したときに終了する。
【００３６】
また、本実施例では、３つのリールを用いた構成を例示しているが、リールを１つのみ用いた構成、２つのリールを用いた構成、４つ以上のリールを用いた構成としても良く、２以上のリールを用いた構成においては、２以上の全てのリールに導出された表示結果の組み合わせに基づいて入賞を判定する構成とすれば良い。また、本実施例では、物理的なリールにて可変表示装置が構成されているが、液晶表示器などの画像表示装置にて可変表示装置が構成されていても良い。
【００３７】
また、本実施例におけるスロットマシン１にあっては、ゲームが開始されて各リール２Ｌ、２Ｃ、２Ｒが回転して図柄の変動が開始した後、いずれかのストップスイッチ８Ｌ、８Ｃ、８Ｒが操作されたときに、当該ストップスイッチ８Ｌ、８Ｃ、８Ｒに対応するリールの回転が停止して図柄が停止表示される。ストップスイッチ８Ｌ、８Ｃ、８Ｒの操作から対応するリール２Ｌ、２Ｃ、２Ｒの回転を停止するまでの最大停止遅延時間は１９０ｍｓ（ミリ秒）である。
【００３８】
リール２Ｌ、２Ｃ、２Ｒは、１分間に８０回転し、８０×２１（１リール当たりの図柄コマ数）＝１６８０コマ分の図柄を変動させるので、１９０ｍｓの間では最大で４コマの図柄を引き込むことができることとなる。つまり、停止図柄として選択可能なのは、ストップスイッチ８Ｌ、８Ｃ、８Ｒが操作されたときに表示されている図柄と、そこから４コマ先までにある図柄、合計５コマ分の図柄である。
【００３９】
このため、例えば、ストップスイッチ８Ｌ、８Ｃ、８Ｒのいずれかが操作されたときに当該ストップスイッチに対応するリールの下段に表示されている図柄を基準とした場合、当該図柄から４コマ先までの図柄を下段に表示させることができるため、リール２Ｌ、２Ｃ、２Ｒ各々において、ストップスイッチ８Ｌ、８Ｒのうちいずれかが操作されたときに当該ストップスイッチに対応するリールの中段に表示されている図柄を含めて５コマ以内に配置されている図柄を入賞ライン上に表示させることができる。
【００４０】
図４は、スロットマシン１の構成を示すブロック図である。スロットマシン１には、図４に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００４１】
また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００４２】
遊技制御基板４０には、前述したＭＡＸＢＥＴスイッチ６、スタートスイッチ７、ストップスイッチ８Ｌ、８Ｃ、８Ｒ、精算スイッチ１０、返却スイッチ２６、リセットスイッチ２３、打止スイッチ３６ａ、自動精算スイッチ３６ｂ、投入メダルセンサ３１ａ〜ｃ、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。
【００４３】
また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、返却中ＬＥＤ２８、設定値表示器２４、流路切替ソレノイド３０、返却ソレノイド２７、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４４】
遊技制御基板４０には、メイン制御部４１、制御用クロック生成回路４２、乱数用クロック生成回路４３、スイッチ検出回路４４、モータ駆動回路４５、ソレノイド駆動回路４６、ＬＥＤ駆動回路４７、電断検出回路４８、リセット回路４９が搭載されている。
【００４５】
メイン制御部４１は、遊技の進行に関する処理を行うととともに、遊技制御基板４０に搭載された制御回路の各部を直接的または間接的に制御する。
【００４６】
制御用クロック生成回路４２は、メイン制御部４１の外部にて、所定周波数の発振信号となる制御用クロックＣＣＬＫを生成する。乱数用クロック生成回路４３は、メイン制御部４１の外部にて、制御用クロックＣＣＬＫの発振周波数とは異なる所定周波数の発振信号となる乱数用クロックＲＣＬＫを生成する。
【００４７】
スイッチ検出回路４４は、遊技制御基板４０に直接または電源基板１０１を介して接続されたスイッチ類から入力された検出信号を取り込んでメイン制御部４１に伝送する。モータ駆動回路４５は、メイン制御部４１から出力されたモータ駆動信号をリールモータ３２Ｌ、３２Ｃ、３２Ｒに伝送する。ソレノイド駆動回路４６は、メイン制御部４１から出力されたソレノイド駆動信号を流路切替ソレノイド３０、返却ソレノイド２７に伝送する。ＬＥＤ駆動回路４７は、メイン制御部４１から出力されたＬＥＤ駆動信号を遊技制御基板４０に接続された各種表示器やＬＥＤに伝送する。電断検出回路４８は、スロットマシン１に供給される電源電圧を監視し、電圧低下を検出したときに、その旨を示す電圧低下信号をメイン制御部４１に対して出力する。リセット回路４９は、電源投入時または電源遮断時などの電源が不安定な状態においてメイン制御部４１にシステムリセット信号を与える。
【００４８】
本実施例においてメイン制御部４１は、サブ制御部９１に各種のコマンドを送信する。メイン制御部４１からサブ制御部９１へ送信されるコマンドは一方向のみで送られ、サブ制御部９１からメイン制御部４１へ向けてコマンドが送られることはない。
【００４９】
演出制御基板９０には、液晶表示器５１、演出効果ＬＥＤ５２、スピーカ５３、５４、リールＬＥＤ５５、演出用スイッチ５６等の演出装置が接続されており、これら演出装置は、演出制御基板９０に搭載された後述のサブ制御部９１による制御に基づいて駆動されるようになっている。
【００５０】
尚、本実施例では、演出制御基板９０に搭載されたサブ制御部９１により、液晶表示器５１、演出効果ＬＥＤ５２、スピーカ５３、５４、リールＬＥＤ５５、演出用スイッチ５６等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
【００５１】
また、本実施例では、演出装置として液晶表示器５１、演出効果ＬＥＤ５２、スピーカ５３、５４、リールＬＥＤ５５、演出用スイッチ５６を例示しているが、演出装置は、これらに限られず、例えば、機械的に駆動する表示装置などを演出装置として適用しても良い。
【００５２】
演出制御基板９０には、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５３、５４からの音声出力制御を行う音声出力回路９４、電源投入時またはサブＣＰＵ９１ａからの初期化命令が一定時間入力されないときにサブＣＰＵ９１ａにリセット信号を与えるリセット回路９５、演出制御基板９０に接続されたスイッチ類から入力された検出信号を検出するスイッチ検出回路９６、日付情報及び時刻情報を含む時間情報を出力する時計装置９７、スロットマシン１に供給される電源電圧を監視し、電圧低下を検出したときに、その旨を示す電圧低下信号をサブＣＰＵ９１ａに対して出力する電断検出回路９８、その他の回路等、が搭載されており、サブＣＰＵ９１ａは、遊技制御基板４０から送信されるコマンドを受けて、演出を行うための各種の制御を行うとともに、演出制御基板９０に搭載された制御回路の各部を直接的または間接的に制御する。
【００５３】
次に、前面扉１ｂの詳細な構造について説明する。
【００５４】
図１〜図３に示すように、前面扉１ｂは、筐体１ａの開口を閉塞可能な正面視縦長長方形状に形成されており、正面視右側端がヒンジ３２２ａ、３２２ｂを介して筐体１ａと連結されることで、筐体１ａに対して正面視右側端を軸として回動自在に枢支されている。
【００５５】
また、図１に示すように、前面扉１ｂの正面視右側の略中央位置には、前面扉１ｂを開放するためのキー（図示略）が挿入可能な鍵穴部１１７が配設されているとともに、前面扉１ｂ内部にはキーシリンダ（図示略）が設けられ、前面扉１ｂが筐体１ａの開口を閉塞した状態ではキーシリンダにより施錠され、開放不能とされるとともに、鍵穴部１１７に挿入された所定のキーによる解錠操作により解錠されることで、前面扉１ｂを開放可能とされている。
【００５６】
図１に示すように、前面扉１ｂの正面下部位置には、スピーカ５３、５４に対応する放音部１２２Ｌ、１２２Ｒが左右側に設けられている。また、これら放音部１２２Ｌ、１２２Ｒ間には、メダル払出口９が形成されており、最下部には、前方に向けて突設され、メダル払出口９から払い出されたメダルを貯留可能な受皿１２３が左右幅方向に延設されている。
【００５７】
図１〜図３に示すように、前面扉１ｂにおける左右上部には、前面から側面に沿って演出効果ＬＥＤ５２の点灯により発光する発光部２８Ｌ、２８Ｒが形成されており、前面扉１ｂにおける上部には、前面から上面に沿って演出効果ＬＥＤ５２の点灯により発光する発光部２８Ｔが形成されている。
【００５８】
図２及び図３に示すように、前面扉１ｂの正面視右側面、すなわち筐体１ａに対して枢支される側端とは反対側の側面の下部、特に発光部２８Ｒ等の演出部を被覆しない位置であり、鍵穴部１１７が配設された位置よりも下方の位置に、ラベル２０１ａ、２０１ｂが貼付されたラベル貼着部材２００が取り付けられる。
【００５９】
ラベル２０１ａは、遊技機の型式や製造業者名が表記されたラベルであり、ラベル２０１ｂは、製造番号や製造年月日等が表記された第三者機関発行のラベル（証紙）である。
【００６０】
尚、本実施例では、これらのラベル２０１ａ、２０１ｂが、文字により遊技機の型式や製造業者名、製造番号、製造年月日等を表記するものであるが、例えば、１次元バーコードや２次元バーコードや記号等の文字以外の情報表示手段のみや１次元バーコードや２次元バーコード、記号等と文字とを合わせて製造業者名等を表記するものであっても良い。
【００６１】
図３に示すように、ラベル２０１ａ、２０１ｂは、それぞれ略横長形状であり、ラベルの文字情報は、ラベルの長手方向に横書きで表記されている。そして、ラベル２０１ａ、２０１ｂが貼付されたラベル貼着部材２００は、ラベル２０１ａ、２０１ｂに表記された各文字の上下がスロットマシン１の上下と一致する状態で前面扉１ｂの右側面に取り付けられている。
【００６２】
図２に示すように、前面扉１ｂの右側面下部におけるラベル貼着部材２００の取付位置には、ラベル貼着部材２００とほぼ同形に形成され、ラベル貼着部材２００を嵌め込み可能な貼着部材取付凹部５２４が凹設されている。そして、前面扉１ｂの内側の貼着部材取付凹部５２４に対応する箇所には、後述する不正防止部材２２０をネジ止めするためのネジ穴２２４ａが形成された取付ボス２２４（図８参照）が突設されており、不正防止部材２２０を取り付けられるようになっている。
【００６３】
このように本実施例では、ラベル２０１ａ、２０１ｂが、前面扉１ｂの外側面に取り付けられるので、遊技中の遊技者の視界に入るスロットマシン１の正面視の意匠性が損なわれてしまうことがないうえに、ラベル２０１ａ、２０１ｂの取付位置によって前面扉１ｂの正面側に配置された放音部１２２Ｌ、１２２Ｒ、メダル払出口９等の配置が制限されてしまうことがない。
【００６４】
また、前面扉１ｂの外側面のうち、筐体１ａに枢支された側端とは反対側の外側面、すなわち前面扉１ｂの開状態において閉状態よりも正面視において視認容易となる外側面に取り付けられることで、前面扉１ｂを開放した際にラベル２０１ａ、２０１ｂを容易に確認することができる。
【００６５】
また、本実施例では、ラベル２０１ａ、２０１ｂが、前面扉１ｂの外側面のうち発光部２８Ｒ等の演出部を被覆しない位置に取り付けられるので、演出部の一部がラベル２０１ａ、２０１ｂによって隠れてしまうことを防止できるので、側面視の意匠性も高めることができる。
【００６６】
尚、本実施例では、前面扉１ｂの外側面に演出部として発光部２８Ｌ、２８Ｒが形成される構成であるが、例えば、放音部等、発光部以外の演出部が形成される構成においても、これら演出部を被覆しない位置にラベル２０１ａ、２０１ｂが取り付けられることが好ましく、このような構成においても、演出部の一部がラベル２０１ａ、２０１ｂによって隠れてしまうことを防止でき、側面視の意匠性も高めることができる。
【００６７】
また、本実施例では、ラベル２０１ａ、２０１ｂが、前面扉１ｂの外側面のうち鍵穴部１１７が配設された位置よりも下方の位置に取り付けられるので、キーを鍵穴部１１７に挿入し前面扉１ｂを開放する際に、手元よりも下方にラベル２０１ａ、２０１ｂが位置することとなり、前面扉１ｂを開放する者の手腕やキーが挿入された状態の鍵穴部１１７によって、ラベル２０１ａ、２０１ｂの視認性が阻害されてしまうことを防止できる。
【００６８】
また、一般的に前面扉を開放するための鍵穴部は略中央の高さ位置に設けられることが多く、上述の発光部２８Ｒのような演出部は、前面扉１ｂの上部に形成されることが多いが、鍵穴部１１７よりも下方にラベル２０１ａ、２０１ｂが取り付けられることで、上記のように演出部を被覆しない位置にラベル２０１ａ、２０１ｂを取り付ける構成とした場合でも、ラベル２０１ａ、２０１ｂの取付位置によって、前面扉１ｂの上部に配置される演出部のデザインが制限されてしまうことがない。さらに、遊技店の店員等が筐体１ａ内部のメンテナンスを行うのは、ホッパータンク３４ａへのメダルの補充やオーバーフロータンク３５からメダルを取り出す場合、メダルセレクタ２９のメダル詰まりを解消させる場合などであり、前面扉１ｂを開放した際に、視線を下方に向けて作業することが多いが、メンテナンス作業を行う際の視線の先にラベル２０１ａ、２０１ｂが取り付けられることで、これらラベル２０１ａ、２０１ｂの確認作業が容易となる。
【００６９】
尚、本実施例では、ラベル２０１ａ、２０１ｂが、前面扉１ｂの外側面のうち鍵穴部１１７が配設された位置よりも下方の位置に取り付けられる構成であるが、図９（ａ）に示すように、ラベル２０１ａ、２０１ｂの上端または下端までの範囲が、鍵穴部１１７の高さ位置と一部重複する高さ位置となるように、ラベル２０１ａ、２０１ｂが取り付けられる構成としても良く、このような構成とすることで、キーを鍵穴部１１７に挿入して前面扉１ｂを開放する際に、手元の近傍にラベル２０１ａ、２０１ｂが位置することとなり、前面扉１ｂの開放操作の際にラベル２０１ａ、２０１ｂを容易に認識することができる。
【００７０】
また、本実施例では、横長形状、かつ長手方向に横書きで文字情報が表記されたラベル２０１ａ、２０１ｂが、表記された各文字の上下がスロットマシン１の上下と一致する状態で前面扉１ｂの右側面に取り付けられる構成であるが、図９（ｂ）に示すように、横長形状、かつ長手方向に横書きで文字情報が表記されたラベル２０１ａ’、２０１ｂ’を貼付したラベル貼着部材２００’を、ラベル２０１ａ’、２０１ｂ’の下辺が前面扉１ｂの正面方向となるように前面扉１ｂの右側面に取り付ける構成としても良く、このような構成とすることで、幅狭な前面扉１ｂの側面にラベルを取り付けるにあたって、ラベルの取付位置の自由度が増すとともに、ラベルに表示された横書きの文字列が前面扉の正面側から自然に読字可能な状態となり、前面扉を開放させた際に、ラベルの確認作業を効率的に行うことができる。
【００７１】
また、図９（ｂ）に示すように、複数のラベル２０１ａ’、２０１ｂ’を長手方向に並べて貼付したラベル貼着部材２００’を、ラベル２０１ａ’、２０１ｂ’の下辺が前面扉１ｂの正面方向となるように前面扉１ｂの右側面に取り付ける構成とすることで、ラベル貼着部材２００の高さを抑えることが可能となり、前面扉１ｂの右側面におけるより幅狭な目立たない部分にラベル２０１ａ’、２０１ｂ’を取り付けることが可能となる。
【００７２】
また、本実施例では、ラベル２０１ａ、２０１ｂを前面扉１ｂの外側面に取り付ける構成であるが、図１０に示すように、ラベル２０１ａ、２０１ｂを、前面扉１ｂの上面に取り付ける構成としても良く、このような構成とした場合でも、遊技中の遊技者の視界に入るスロットマシン１の正面視の意匠性が損なわれてしまうことがないうえに、ラベル２０１ａ、２０１ｂの取付位置によって前面扉１ｂの正面側に配置された放音部１２２Ｌ、１２２Ｒ、メダル払出口９等の配置が制限されてしまうことがない。
【００７３】
また、ラベル２０１ａ、２０１ｂを、前面扉１ｂの上面に取り付ける構成とした場合には、正面視中央よりも右側、すなわち筐体１ａに枢支された側端とは反対側に取り付けることが好ましく、このような構成とすることで、前面扉１ｂを開放した際にラベル２０１ａ、２０１ｂを容易に確認することができる。
【００７４】
この場合には、さらに前面扉１ｂの上面における右側端部近傍にラベル２０１ａ、２０１ｂが取り付けられることが好ましく、このような構成とすることで、ラベル２０１ａ、２０１ｂをより目立たない位置に取り付けることが可能となる。
【００７５】
また、ラベル２０１ａ、２０１ｂを、前面扉１ｂの上面に取り付ける構成とした場合にも、ラベル２０１ａ、２０１ｂが、前面扉１ｂの上面のうち発光部２８Ｔ等の演出部を被覆しない位置に取り付けられることが好ましく、このような構成により演出部の一部がラベル２０１ａ、２０１ｂによって隠れてしまうことを防止できるので、上面視の意匠性も高めることができる。
【００７６】
また、ラベル２０１ａ、２０１ｂを、前面扉１ｂの上面に取り付ける構成とした場合には、横書きで文字情報が表記されたラベル２０１ａ、２０１ｂの下辺が前面扉１ｂの正面方向となるように、ラベル２０１ａ、２０１ｂが取り付けられることが好ましく、このような構成とすることで、前面扉１ｂを開放しない状態であっても、正面からラベル２０１ａ、２０１ｂを容易に確認することができる。
【００７７】
また、本実施例では、筐体１ａの開口を閉塞する前面扉１ｂが回動により開閉可能とする構成であるが、少なくとも遊技機の前面に設けられ、回動により開閉可能な前面扉を備える構成において、前面扉が、閉状態において前面側に位置する前面領域と、閉状態において側面側に位置し、開状態において閉状態よりも正面視において視認容易となる側面領域と、を含み、ラベルが、前面扉の側面領域に取り付けられている構成であれば、遊技中の遊技者の視界に入るスロットマシン１の正面視の意匠性が損なわれてしまうことがないうえに、ラベルの取付位置によって前面扉の正面側に配置された演出部の配置が制限されてしまうことがない。
【００７８】
遊技機の前面に設けられ、回動により開閉可能な前面扉としては、例えば、筐体１ａの開口の上側を開閉可能な上側扉と、筐体１ａの開口の下側を開閉可能な下側扉と、を設ける構成、筐体１ａの開口の右側を開閉可能な右側扉と、筐体１ａの開口の左側を開閉可能な左側扉と、を設ける構成等、複数の前面扉を備える構成としても良く、このような構成においては、いずれかの前面扉において開状態において閉状態よりも正面視において視認容易となる側面領域にラベルが取り付けられる構成であれば良い。
【００７９】
また、前面扉は、必ずしも開口を塞ぐ扉である必要がなく、前面を単に被覆する扉であっても良い。
【００８０】
また、回動方向は、縦方向を回動軸とする構成に限らず、横方向を回動軸とする構成、例えば、跳ね上げ式の扉を前面扉として適用し、開状態において閉状態よりも側面が正面視において視認容易となる構成でも良い。
【００８１】
次に、ラベル貼着部材の構造について、図２及び図５〜図９に基づいて説明する。図２は、ラベル貼着部材及び不正防止部材の取付状態を示す斜視図である。図５は、（ａ）はラベル貼着部材を示す正面図であり、（ｂ）は右側面図、（ｃ）は平面図である。図６は、（ａ）は不正防止部材を示す正面図であり、（ｂ）は不正防止部材を示す背面図であり、（ｃ）は不正防止部材を示す右側面図であり、（ｄ）は不正防止部材を示す平面図である。図７は、不正防止部材を示す縦断面図である。図８は、（ａ）は図７のＤ−Ｄ断面図であり、（ｂ）は図７のＥ−Ｅ断面図である。
【００８２】
図５に示すように、ラベル貼着部材２００は、透明な合成樹脂材にて形成される正面視正方形の透光板２００ａと、該透光板２００ａの背面２００ｃの左右側辺上部に突設される左右一対の上弾性係止片２０２、２０３と、背面２００ｃの下辺部の左右側に突設される左右一対の下弾性係止片２０４、２０５と、から構成され、背面２００ｃは前述したラベル２０１ａ、２０１ｂが貼着されるラベル貼着部とされている。
【００８３】
透光板２００ａは、図２に示すように、前面扉１ｂの右側面に凹設された貼着部材取付凹部５２４とほぼ同形に形成されており、該貼着部材取付凹部５２４に背面側が嵌合するように取り付けられるとともに、貼着部材取付凹部５２４に形成された貫通孔２１２、２１３に対応する位置に上弾性係止片２０２、２０３が配設され、貫通孔２１４、２１５に対応する位置に下弾性係止片２０４、２０５が配設されている。
【００８４】
ラベル２０１ａ、２０１ｂの前面に形成される表示面には、文字情報が印刷された印刷層が設けられているとともに、該印刷層の前面には透明な粘着層が形成され、表示面をラベル貼着部材２００の背面２００ｃに対向させた状態で貼着できるようになっているため、透光板２００ａを通して該透光板２００ａの前面側から文字情報を視認できる。尚、本実施例では２枚のラベル２０１ａ、２０１ｂが貼着されているが、１枚あるいは３枚以上のラベルを貼着しても良い。
【００８５】
上弾性係止片２０２、２０３は、幅寸法よりも長さ寸法の方が長寸の帯状板からなり、その外面には側方に向けて突出する係止爪２０２ａ、２０３ａが形成されている。上弾性係止片２０２、２０３は、透光板２００ａの背面２００ｃにおける左右側辺の上部位置に該左右側辺に沿って突設されるとともに、特に図５（ａ）に示すように、係止爪２０２ａ、２０３ａの頂部が透光板２００ａの側辺よりも外側に突出しないように、側辺の内側に突設されている。
【００８６】
下弾性係止片２０４、２０５は、幅寸法よりも長さ寸法の方が長寸の帯状板からなり、その外面には、側方に向けて突出する係止爪２０４ａ、２０５ａが形成されている。下弾性係止片２０４、２０５は、透光板２００ａの背面２００ｃにおける下辺の左右位置に下辺に沿って突設されるとともに、特に図５（ａ）に示すように、係止爪２０４ａ、２０５ａの頂部が透光板２００ａの下辺よりも外側に突出しないように下辺の内側に突設されている。
【００８７】
つまり、下弾性係止片２０４、２０５は、上弾性係止片２０２、２０３よりも下方位置に設けられているとともに、係止爪２０４ａ、２０５ａが係止爪２０２ａ、２０３ａの突出方向（左右側方）に対して直交する方向（下方）に形成されている。
【００８８】
図６に示すように、不正防止部材２２０は、透光板２００ａよりもやや大きい板材からなる背面壁（壁部）２２０ａと、該背面壁（壁部）２２０ａの前面左側辺に突設される左側壁（壁部）２２０ｂと、右側辺に突設される右側壁（壁部）２２０ｃと、上辺に突設される上壁（壁部）２２０ｄと、下辺に突設される下壁（壁部）２２０ｅと、から前面が開口する箱状に形成されている。尚、左側壁（壁部）２２０ｂには、取付時において側方に配置されるスピーカ５３Ｌとの干渉を回避する凹部２２１及び切欠部２２２が形成されている。
【００８９】
背面壁（壁部）２２０ａの上部左右側には、所定幅寸法を有する規制片２５２、２５３が前方に向けて横向きに突設されているとともに、背面壁（壁部）２２０ａの下部左右側には、所定幅寸法を有する規制片２５４、２５５が前方に向けて縦向きに突設されている。また、背面壁（壁部）２２０ａの中央位置には、不正防止部材２２０を前面扉１ｂの内面における貼着部材取付凹部５２４に対応する位置に取り付けるためのネジ２６０（図８参照）が取り付けられる取付孔２２３が形成されている。
【００９０】
規制片２５２は、上弾性係止片２０２における係止爪２０２ａの反対側面である内面における幅方向の中央位置に左端が当接する位置に、上弾性係止片２０２に対して直交するように配置される。規制片２５３は、上弾性係止片２０３における係止爪２０３ａの反対側面である内面における幅方向の中央位置に右端が当接する位置に、上弾性係止片２０３に対して直交するように配置される。
【００９１】
規制片２５４は、下弾性係止片２０４における係止爪２０４ａの反対側面である内面における幅方向の中央位置に下端が当接する位置に、下弾性係止片２０４に対して直交するように配置される。規制片２５５は、下弾性係止片２０５における係止爪２０５ａの反対側面である内面における幅方向の中央位置に下端が当接する位置に、下弾性係止片２０５に対して直交するように配置される。
【００９２】
次に、ラベル貼着部材２００及び不正防止部材２２０の取付状況について、図２及び図７、図８に基づいて説明する。
【００９３】
まず、ラベル２０１ａ、２０１ｂは、その表示面をラベル貼着部材２００の背面２００ｃに対向させた状態で背面２００ｃに貼着され、貼着された状態において、透光板２００ａを通して前面側から表示面を視認可能とされる。
【００９４】
ラベル貼着部材２００を貼着部材取付凹部５２４に取り付けるには、図２に示すように、ラベル２０１ａ、２０１ｂが貼着された背面２００ｃを貼着部材取付凹部５２４に対向させた状態で、まず下弾性係止片２０４、２０５を貫通孔２１４、２１５にそれぞれ差し込み、その状態で上部を貼着部材取付凹部５２４側に押し込み、上弾性係止片２０２、２０３を貫通孔２１２、２１３に挿通する。このように、下弾性係止片２０４、２０５は横向きに突設されているため、下弾性係止片２０４、２０５を貫通孔２１４、２１５に差し込んで透光板２００ａの下部を位置決めした状態で、該下弾性係止片２０４、２０５を中心として透光板２００ａの上部を回転させることにより、上弾性係止片２０２、２０３を貫通孔２１２、２１３に簡単に挿通することができる。
【００９５】
そして、貫通孔２１２、２１３に挿通された上弾性係止片２０２、２０３は、係止爪２０２ａ、２０３ａが貫通孔２１２、２１３の開口側縁背面に弾性的に係止されるとともに、貫通孔２１４、２１５に挿通された下弾性係止片２０４、２０５は、係止爪２０４ａ、２０５ａが貫通孔２１４、２１５の開口下縁背面に弾性的に係止され、ラベル貼着部材２００は貼着部材取付凹部５２４に前面側から取り付けられる。
【００９６】
また、図８に示すように、取り付けられた状態において透光板２００ａの背面部は貼着部材取付凹部５２４に嵌合され、ラベル２０１ａ、２０１ｂの背面が貼着部材取付凹部５２４の前面に密接されるとともに、各貫通孔２１２〜２１５の前面が透光板２００ａにより閉塞される。よって、透光板２００ａの周縁から背面２００ｃと貼着部材取付凹部５２４の前面との間に針金等の不正部材を差し込みにくくなるとともに、特に各係止爪２０２ａ〜２０５ａは弾性係止片２０２〜２０５の外面に突設されていることで、取付状態において弾性係止片２０２〜２０５の内面と貫通孔２１２〜２１５の開口縁との間の隙間が内側に形成されるため、透光板２００ａの周縁から差し込まれた針金を貫通孔２１２〜２１５内に挿通しにくくなる。
【００９７】
このようにラベル貼着部材２００を貼着部材取付凹部５２４に前面扉１ｂの前面側から取り付けた後、図２に示すように、前面扉１ｂの内面における貼着部材取付凹部５２４に対応する位置に不正防止部材２２０を配置し、取付孔２２３に内面側から取り付けたネジ２６０を前面扉１ｂの内面に突設された取付ボス２２４のネジ穴２２４ａ（図８参照）に螺入して前面扉１ｂの内面に不正防止部材２２０を取り付ける。
【００９８】
不正防止部材２２０が取り付けられた状態において、上弾性係止片２０２における係止爪２０２ａの反対側面である内面における幅方向の中央位置に規制片２５２の左端が当接し、上弾性係止片２０３における係止爪２０３ａの反対側面である内面における幅方向の中央位置に規制片２５３の右端が当接し、下弾性係止片２０４における係止爪２０４ａの反対側面である内面における幅方向の中央位置に規制片２５４の下端が当接し、下弾性係止片２０５における係止爪２０５ａの反対側面である内面における幅方向の中央位置に規制片２５５の下端が当接する。
【００９９】
これにより、上弾性係止片２０２、２０３及び下弾性係止片２０４、２０５の内側、つまり係止解除方向への弾性変形（移動）が規制されるため、係止爪２０２ａ〜２０５ａの貫通孔２１２〜２１５の開口縁への係止状態が解除されることが防止される。
【０１００】
尚、本実施例では、不正防止部材２２０が取り付けられた状態において、各弾性係止片２０２〜２０５の内面に各規制片２５２〜２５５が当接するようになっていたが、必ずしも当接しなくても良く、例えば、各弾性係止片２０２〜２０５の内面に近接して配置しても良く、このようにする場合、各係止爪２０２ａ〜２０５ａが各貫通孔２１２〜２１５への係止状態を解除するのに必要な移動距離、つまりは各弾性係止片２０２〜２０５の弾性変形幅未満の範囲内で離間配置されていることが好ましい。
【０１０１】
また、前面扉１ｂの前面にラベル貼着部材２００を嵌合させる大きな貫通孔を形成する必要がないばかりか、不正防止部材２２０の各壁部２２０ｂ〜２２０ｅの前端が前面扉１ｂの内面に当接し、各貫通孔２１２〜２１５の背面が不正防止部材２２０により被覆されることで、ラベル貼着部材２００を不正に取り外したり、取り付けた状態で貫通孔２１２〜２１５から針金等の不正部材を進入させても該不正部材の進入が各壁部にて阻止されるため、筐体１ａに設けられる遊技部品等に対する不正行為を抑制することができる。
【０１０２】
また、規制部としての規制片２５２〜２５５及び被覆部としての各壁部２２０ａ〜２２０ｅは、前面扉１ｂの内面における貼着部材取付凹部５２４に対応する位置に着脱自在に取り付けられる単一の不正防止部材２２０に形成されていることで、規制部と被覆部とを前面扉１ｂの内面に対して一度に取り付け、取り外しできる。
【０１０３】
また、不正防止部材２２０は、貼着部材取付凹部５２４よりも面積が大きく、前面に規制片２５２〜２５５が各弾性係止片２０２〜２０５に対して直交するように突設された背面壁（壁部）２２０ａと、該背面壁（壁部）２２０ａの周縁から前面側に連設された周壁（壁部）２２０ｂ〜２２０ｅとから構成されているため、規制部及び被覆部を簡単に一体成型できる。
【０１０４】
また、被覆部としての不正防止部材２２０に規制部としての規制片２５２〜２５５が形成され、前面扉１ｂへの取り付け時において各弾性係止片２０２〜２０５に当接して配置されることで、不正防止部材２２０の取り付け時における位置ずれやガタツキが防止されるため、仮に貫通孔２１２〜２１５から進入された針金等の不正部材により背面壁（壁部）２２０ａや周壁（壁部）２２０ｂ〜２２０ｅが前面側から押圧されることにより不正防止部材２２０が傾くなどして周壁（壁部）２２０ｂ〜２２０ｅと前面扉１ｂの内面との間に大きな隙間が形成される虞がない。
【０１０５】
尚、本実施例では、規制片２５２〜２５５及び被覆部としての各壁部２２０ａ〜２２０ｅは単一の不正防止部材２２０に形成されていたが、それぞれ前面扉１ｂの内面に別個に取付可能な別部材に設けられていても良い。
【０１０６】
尚、この場合、規制片２５２〜２５５を有する規制部材は金属材にて構成されていることが好ましく、このようにすることで、規制部を熱溶解させることにより規制を解除するといった不正行為を抑制できる。
【０１０７】
また、縦向きの上弾性係止片２０２、２０３と横向きの下弾性係止片２０４、２０５を有することで、係止爪２０２ａ〜２０５ａの係止状態を解除するには、上弾性係止片２０２、２０３及び下弾性係止片２０４、２０５双方をそれぞれ異なる方向に同時に弾性変形させなければならないため、取り外しが困難となる。
【０１０８】
また、各貫通孔２１２〜２１５は、貼着部材取付凹部５２４の周縁よりも内側に形成され、上下弾性係止片２０２〜２０５は、ラベル貼着部材２００の背面２００ｃにおける周縁よりも内側に突設され、かつ、各係止爪２０２ａ〜２０５ａが外向きに突設されることで、ラベル貼着部材２００が貼着部材取付凹部５２４に取り付けられた状態において、貫通孔２１２〜２１５がラベル貼着部材２００の透光板２００ａにより前面側から確実に被覆されるので、前面扉１ｂの前面側から貫通孔２１２〜２１５に針金等の不正部材を進入させにくくすることができる。
【０１０９】
また、本実施例では、各貫通孔２１２〜２１５は、貼着部材取付凹部５２４の周縁よりも内側に形成されていたが、必ずしも内側に形成されている必要はなく、貼着部材取付凹部５２４の周辺に形成されていても良い。
【０１１０】
また、本実施例では、上下弾性係止片２０２〜２０５の外面に係止爪２０２ａ〜２０５ａが突設されていたが、内面に形成されていても良い。また、係止部は上下弾性係止片２０２〜２０５の外面に突設される係止爪２０２ａ〜２０５ａにて構成されていたが、例えば被係止部に係合可能な穴部等であっても良い。
【０１１１】
以上、本発明の実施例１を図面により説明してきたが、本発明はこの実施例１に限定されるものではなく、本発明の主旨を逸脱しない範囲における変更や追加があっても本発明に含まれることは言うまでもない。
【実施例２】
【０１１２】
本発明が適用された遊技機の実施例２としてのパチンコ遊技機２００１について図面を用いて説明する。図１０は、パチンコ遊技機２００１の斜視図である。
【０１１３】
パチンコ遊技機２００１は、図１１に示すように、縦長の方形枠状に形成された外枠２１００と、外枠２１００に開閉可能に取り付けられた前面枠２１０１と、で主に構成されている。前面枠２１０１の前面には、ガラス扉枠２１０２及び下扉枠２１０３がそれぞれ左側辺を中心に開閉可能に設けられている。
【０１１４】
ガラス扉枠２１０２は、下扉枠２１０３に設けられた施錠装置（図示略）の鍵穴部２１１０に所定の鍵（図示略）を差し込み解錠操作することにより開放可能となる。
【０１１５】
図１１に示すように、外枠２１００の正面視右側には、前面枠２１０１、ガラス扉枠２１０２、下扉枠２１０３を開放するためのキーを挿入可能な鍵穴部２１１０が設けられている。前面枠２１０１は、左側端が外枠２１００に枢支されており、キーによる解錠操作により、図１３中１点鎖線で示す位置まで開放可能とされている。また、ガラス扉枠２１０２は、左側端が前面枠２１０１に枢支されており、キーによる解錠操作により、図１２中１点鎖線で示す位置まで開放可能とされている。また、下扉枠２１０３は、左側端が前面枠２１０１に枢支されており、キーによる解錠操作により、図１１中１点鎖線で示す位置まで開放可能とされている。
【０１１６】
また、下扉枠２１０３の上皿２００３の右側面、特には鍵穴部２１１０よりも下方の位置に、図１１に示すように、実施例１と同様のラベルが内面側に貼られているラベル貼着部材２２００が実施例１と同様の取付構造にて取り付けられている。
【０１１７】
このように本実施例では、ラベルが、下扉枠２１０３の外側面に取り付けられるので、遊技中の遊技者の視界に入るパチンコ遊技機２００１の正面視の意匠性が損なわれてしまうことがないうえに、ラベルの取付位置によって下扉枠２１０３の正面側にデザインが制限されてしまうことがない。
【０１１８】
また、下扉枠２１０３の外側面のうち、前面枠２１０１に枢支された側端とは反対側の外側面、すなわち開状態において閉状態よりも視認容易となる外側面に取り付けられることで、下扉枠２１０３を開放した際にラベルを容易に確認することができる。
【０１１９】
また、本実施例では、ラベルが、下扉枠２１０３の外側面のうち鍵穴部２１１０が配設された位置よりも下方の位置に取り付けられるので、キーを鍵穴部２１１０に挿入し下扉枠２１０３を開放する際に、手元よりも下方にラベルが位置することとなり、下扉枠２１０３を開放する者の手腕やキーが挿入された状態の鍵穴部２１１０によって、ラベルの視認性が阻害されてしまうことを防止できる。
【０１２０】
尚、本実施例では、ラベルが、下扉枠２１０３の外側面、かつ前面枠２１０１に枢支された側端とは反対側の外側面に取り付けられる構成であるが、図１２に示すように、ラベルが、ガラス扉枠２１０２の外側面、かつ前面枠２１０１に枢支された側端とは反対側の外側面に取り付けられる構成としても良く、このような構成であっても、ラベルが、ガラス扉枠２１０２の外側面に取り付けられるので、遊技中の遊技者の視界に入るパチンコ遊技機２００１の正面視の意匠性が損なわれてしまうことがないうえに、ラベルの取付位置によってガラス扉枠２１０２の正面側にデザインが制限されてしまうことがなく、また、ガラス扉枠２１０２の外側面のうち、前面枠２１０１に枢支された側端とは反対側の外側面に取り付けられることで、ガラス扉枠２１０２を開放した際にラベルを容易に確認することができる。
【０１２１】
また、図１３に示すように、ラベルが、前面枠２１０１の外側面、かつ外枠２１００に枢支された側端とは反対側の外側面に取り付けられる構成としても良く、このような構成であっても、ラベルが、前面枠２１０１の外側面に取り付けられるので、遊技中の遊技者の視界に入るパチンコ遊技機２００１の正面視の意匠性が損なわれてしまうことがないうえに、ラベルの取付位置によって前面枠２１０１の正面側にデザインが制限されてしまうことがなく、また、前面枠２１０１の外側面のうち、外枠２１００に枢支された側端とは反対側の外側面に取り付けられることで、前面枠２１０１を開放した際にラベルを容易に確認することができる。
【０１２２】
また、特に図示しないが、例えば、下扉枠が上皿が形成された第１下扉枠と、下皿が形成された第２下扉枠と、からなる等、複数の前面扉を備える構成としても良く、このような構成においては、いずれかの前面扉において開状態において閉状態よりも正面視において視認容易となる側面領域にラベルが取り付けられる構成であれば良い。
【０１２３】
以上、本発明の実施例２を図面により説明してきたが、本発明はこの実施例２に限定されるものではなく、本発明の主旨を逸脱しない範囲における変更や追加があっても本発明に含まれることは言うまでもない。また、実施例１と同一もしくは類似する構成については、実施例１で説明したものと同様の効果を有するものである。また、実施例１で例示した変形例についても実施例２に適用可能である。
【符号の説明】
【０１２４】
１  スロットマシン
１ａ  筐体
１ｂ  前面扉
２Ｌ、２Ｃ、２Ｒ  リール
８Ｌ、８Ｃ、８Ｒ  ストップスイッチ
２８Ｌ、２８Ｒ  発光部
２００  ラベル貼着部材
２０１ａ、２０１ｂ  ラベル
２２０  不正防止部材
２００１  パチンコ遊技機
２１００  外枠
２１０１  前面枠
２１０２  ガラス扉枠
２１０３  下扉枠
２２００  ラベル貼着部材
【図１】
2015157009.tif 000003
【図２】
2015157009.tif 000004
【図３】
2015157009.tif 000005
【図４】
2015157009.tif 000006
【図５】
2015157009.tif 000007
【図６】
2015157009.tif 000008
【図７】
2015157009.tif 000009
【図８】
2015157009.tif 000010
【図９】
2015157009.tif 000011
【図１０】
2015157009.tif 000012
【図１１】
2015157009.tif 000013
【図１２】
2015157009.tif 000014
【図１３】
2015157009.tif 000015